(57)【要約】【課題】光源と、導光板とからなり、前記光源からの光が前記導光板の対向する２つの発光面から出射する両面発光光源に関し、効率がよい両面発光光源を提供することを課題とする。【解決手段】導光板１０３は、光源１０１からの光が入射し、第１発光面１０５ａを有する第１導光層１０５と、第１導光層１０５に積層配置され、光源１０１からの光が入射し、第２発光面１０７ａを有する第２導光層１０７と、第１導光層１０５、第２導光層１０７との間に設けられ、第１導光層１０５、第２導光層１０７内を伝播する光の導光、及び第１導光層１０５の第１発光面１０５ａ、第２導光層１０７の第２発光面１０７ａからの光の出射を制御する界面１０９と、一方の導光層を伝播してきた光を他方の導光層へ案内する折り返し部１１１で構成する。【選択図】      図１
2004296300.tif 000002
【特許請求の範囲】
【請求項１】
光源と、導光板とからなり、前記光源からの光が前記導光板の対向する２つの発光面から出射する両面発光光源において、
前記導光板は、
前記光源からの光が入射し、第１発光面を有する第１導光層と、
該第１導光層に積層配置され、前記光源からの光が入射し、第２発光面を有する第２導光層と、
前記第１導光層、前記第２導光層との間に設けられ、前記第１導光層、前記第２導光層内を伝播する光の導光、及び前記第１導光層の第１発光面、前記第２導光層の第２発光面からの光の出射を制御する界面と、
一方の導光層を伝播してきた光を他方の導光層へ案内する折り返し部と
を有することを特徴とする両面発光光源。
【請求項２】
前記折り返し部は、
一方の導光層を伝播してきた光の強度ピーク成分が他方の導光層の発光面から一番多く出射するような反射手段を有することを特徴とする請求項１記載の両面発光光源。
【請求項３】
前記折り返し部は、
一方の導光層を伝播してきた光の広がりを抑えると共に、一方の導光層を伝播してきた光の強度ピーク成分が他方の導光層の発光面から一番多く出射するような反射手段を有することを特徴とする請求項１記載の両面発光光源。
【請求項４】
前記光源は複数あり、それらは対向するような位置関係、前記光源の出射光が交差するような位置関係のうちのいずれかであることを特徴とする請求項１記載の両面発光光源。
【請求項５】
光源と、導光板とからなり、前記光源からの光が前記導光板の対向する２つの発光面から出射する両面発光光源において、
前記導光板は、第１発光面を有する第１導光層、該第１導光層に積層配置され、第２発光面を有する第２導光層、前記第１導光層、前記第２導光層との間に設けられ、前記第１導光層、前記第２導光層内を伝播してきた光の導光、前記第１導光の第１発光面、前記第２導光層の第２発光面からの光の出射を制御する界面とを有すると共に、
前記光源からの光を前記第１導光層、第２導光層のうちの一方の導光層のみ、両方の導光層へ選択的に入射させる光源切替手段と、
該光源切替手段に同期して、一方の導光層のみ光が入射した場合は、一方の導光層を伝播してきた光を一方の導光層へ、両方の導光層に光が入射した場合は、一方の導光層を伝播してきた光を他方の導光層へ案内する光案内手段と、
を備えたことを特徴とする両面発光光源。
【発明の詳細な説明】
【０００１】
【発明の属する技術分野】
本発明は、例えば、液晶表示パネルのバックライトとして使用される両面発光光源に関し、更に詳しくは、光源と、導光板とからなり、前記光源からの光が前記導光板の対向する２つの発光面から出射する両面発光光源に関する。
【０００２】
近年、携帯電話では、表裏に液晶ディスプレイ装置を持つ製品がある。このため、薄くて効率のよい両面発光光源が要望されている。
【０００３】
【従来の技術】
図１５を用いて従来の両面発光光源の第１の例を説明する。図において、断面形状がくさび状で同一形状の導光板１、３は、光を反射する反射シート５，７が設けられる面同士が対向するように配置されている。又、９は導光板１へ光を出射する光源、１１は導光板３へ光を出射する光源である。
【０００４】
そして、導光板１内に入射した光源９から光は、反射シート５で全反射しながら進み、導光板１の発光面１ａから出射する。同様に、導光板３内に入射した光源１１からの光は、反射シート７で全反射しながら進み、導光板３の発光面３ａから出射する（例えば、特許文献１参照。）。
【０００５】
このような構成では、一般に用いられている片面発光光源を２つ重ねた構造であるので、必ず光源が２つ必要で、コストアップとなる。又、反射シート５，７が必要なので、厚みが厚くなる問題点がある。そこで、図１６に示すような構成の両面発光光源が提案されている。図１６において、導光板２１は、乱反射部２３と、この乱反射部２３を介して積層配置された第１導光層２５、第２導光層２７とからなっている。又、導光板２１の第１導光層２５の発光面２５ａには拡散板２９が、第２導光層２７の発光面２７ａには拡散板３１が設けられている。３３は導光板２１の一方の端面側に設けられた光源である。そして、導光板２１の一方の端面から入射した光源３３からの光は、乱反射部２３で乱反射しながら進み、第１導光層２５の発光面２５ａ、第２導光層２７の発光面２７ａから出射する（例えば、特許文献２参照。）。
【０００６】
【特許文献１】
特開２００２−２４４１３３号公報（図１）
【特許文献２】
特開平７−１２０６２３号公報（図１）
【０００７】
【発明が解決しようとする課題】
しかし、図１６に示す構成の両面発光光源では、導光板２１の一方の端面から入射した光は、導光板２１内で反射を繰返して、導光板２１の他方の端面に向かう。そして、乱反射部２３で光の進行方向を変え発光面２５ａ、発光面２７ａより出射させているが、例えば、導光板２１の一方の端面に対し垂直方向に入射した光は、乱反射部２３に達せずに他方の端面へ向かう。また、乱反射部２３で反射しても、発光面２５ａ、発光面２７ａより出射せず、導光板２１内を進み、他方の端面に向かうものもある。それらの光は他方の端面から導光板２１の外部へ漏れ出てしまうことにより、発光面２５ａ、発光面２７ａから出射する光の量が少なくなり、効率が悪い問題点がある。
【０００８】
本発明は、上記問題点に鑑みてなされたもので、その第１の課題は、効率がよい両面発光光源を提供することにある。又、第２の課題は両面発光、片面発光を選択できる両面発光光源を提供することにある。
【０００９】
【課題を解決するための手段】
図１は請求項１に係る発明の原理図である。図において、１０１は光源、１０３が導光板である。導光板１０３は、第１発光面１０５ａを有する第１導光層１０５と、第１導光層１０５に積層配置され、光源１０１の光が入射し、第２発光面１０７ａを有する第２導光層１０７とが形成されている。第１導光層１０５と第２導光層１０７との間には、第１導光層１０５、第２導光層１０７内を伝播してきた光の導光及び第１導光層１０５の第１発光面１０５ａ、第２導光層１０７の第２発光面１０７ａからの光の出射を制御する界面１０９が形成されている。更に、一方の導光層を伝播してきた光を他方の導光層へ案内する折り返し部１１１が形成されている。
【００１０】
光源１０１から出射した光は第１導光層１０５、第２導光層１０７へ入射し、入射した光は界面１０９により、第１導光層１０５、第２導光層１０７内の導光及び第１導光層１０５の第１発光面１０５ａ、第２導光層１０７の第２発光面１０７ａからの出射が制御される。そして、第１導光層１０５、第２導光層１０７を伝播する光のうち、第１導光層１０５の第１発光面１０５ａ、第２導光層１０７の第２発光面１０７ａから出射しない光は、折り返し部１１１で、他方の導光層へ案内され、他の導光層の発光面より出射する。
【００１１】
このような構成によれば、折り返し部１１１を有することで、第１発光面１０５ａ、第２発光面１０７ａ以外の箇所から導光板１０３外部へ漏れ出る光が少なくなり、効率が良くなる。
【００１２】
請求項２に係る発明は、前記折り返し部は、一方の導光層を伝播してきた光の強度ピーク成分が他方の導光層の発光面から一番多く出射するような反射手段を有することを特徴とする請求項１記載の両面発光光源である。
【００１３】
導光板に入射した光は全反射しながら各導光層内を伝播するので、強度ピーク成分を有する光となる。本発明では、前記折り返し部は、一方の導光層を伝播してきた光の強度ピーク成分が他方の導光層の発光面から一番多く出射するような反射手段を有することにより、一方の導光層を伝播してきた光を効率よく他の導光層へ案内すると共に、効率よく他方の導光層から出射させることができる。
【００１４】
請求項３に係る発明は、前記折り返し部は、一方の導光層を伝播してきた光の広がりを抑えると共に、一方の導光層を伝播してきた光の強度ピーク成分が他方の導光層の発光面から一番多く出射するような反射手段を有することを特徴とする請求項１記載の両面発光光源である。
【００１５】
一方の導光層を伝播してきた光の広がりを抑えると共に、一方の導光層を伝播してきた光の強度ピーク成分が他方の導光層の発光面から一番多く出射するような反射手段を有することにより、一方の導光層を伝播してきた光を効率よく他の導光層へ案内することができる。
【００１６】
請求項４に係る発明は、前記光源は複数あり、それらは対向するような位置関係、前記光源の出射光が交差するような位置関係のうちのいずれかであることを特徴とする請求項１記載の両面発光光源である。
【００１７】
前記光源は複数あり、それらは対向するような位置関係、前記光源の出射光が交差するような位置関係のうちのいずれかであることにより、発光面での輝度分布が均一となる。又、光の偏光軸の偏りが少なくなる。
【００１８】
請求項５に係る発明は、光源と、導光板とからなり、前記光源からの光が前記導光板の対向する２つの発光面から出射する両面発光光源において、前記導光板は、第１発光面を有する第１導光層、該第１導光層に積層配置され、第２発光面を有する第２導光層、前記第１導光層、前記第２導光層との間に設けられ、前記第１導光層、前記第２導光層内を伝播してきた光の導光及び前記第１導光の第１発光面、前記第２導光層の第２発光面からの光の出射を制御する界面とを有すると共に、前記光源からの光を前記第１導光層、第２導光層のうちの一方の導光層のみ、両方の導光層へ選択的に入射させる光源切替手段と、該光源切替手段に同期して、一方の導光層のみ光が入射した場合は、一方の導光層を伝播してきた光を一方の導光層へ、両方の導光層に光が入射した場合は、一方の導光層を伝播してきた光を他方の導光層へ案内する光案内手段とを備えたことを特徴とする両面発光光源である。
【００１９】
光源切替手段により光源からの光が、第１導光層、第２導光層に入射する場合は、光切替手段に同期して、光案内手段は、一方の導光層を伝播してきた光を他方の導光層へ案内する。第１導光層、第２導光層に入射した光は界面により、第１導光層、第２導光層内の導光及び第１導光の第１発光面、第２導光層の第２発光面からの出射を制御される。そして、第１導光層、第２導光層を伝播する光のうち、第１導光層の第１発光面、第２導光層の第２発光面から出射しない光は、光反射手段で、他方の導光層へ案内され、他の導光層の発光面より出射する。光案内手段が一方の導光層を伝播してきた光を他方の導光層へ案内することにより、第１発光面、第２発光面以外の箇所から導光板外部へ漏れ出る光が少なくなり、効率が良くなる。
【００２０】
又、光源切替手段により光源からの光が、一方の導光層にのみ入射する場合は、光切替手段に同期して、光案内手段は、一方の導光層を伝播してきた光を一方の導光層へ案内する状態となる。一方の導光層に入射した光は界面により、一方の導光層内の導光及び発光面からの出射を制御される。そして、導光層を伝播する光のうち、発光面から出射しない光は、光案内手段で、再び一方の導光層へ案内され、界面により、一方の導光層内の導光及び発光面からの出射を制御される。一方の導光層の発光面以外の箇所から導光板外部へ漏れ出る光が少なくなり、効率がよくなる。
【００２１】
【発明の実施の形態】
（第１の実施の形態例）
最初に、第１の実施の形態例の両面発光光源の斜視図である図２、図２の切断線Ａ−Ａでの断面図である図３を用いて全体構成を説明する。これらの図において、２０１は線状の光源、２０２は線状の光源２０１から出射する光を反射する反射板である。導光板２０３は、第１発光面２０５ａを有する第１導光層２０５と、第１導光層２０５に積層配置され、光源２０１の光が入射し、第２発光面２０７ａを有する第２導光層２０７と、第１導光層２０５と第２導光層２０７との間に形成された界面２０９とからなっている。又、導光板２０３の光源２０１と対向する端面が、光源２０１からの光が入射する入射面２０３ａとなる。
【００２２】
図３のＢ部分の拡大図である図４（ａ）に示すように、界面２０９は、光が全反射することにより、第１導光層２０５、第２導光層２０７内の導光及び第１導光層２０５の第１発光面２０５ａ、第２導光層２０７の第２発光面１０７ａからの出射を制御するような凹凸が形成されている。尚、界面の形状としては、図４（ａ）の形状に限定するものではなく、例えば、図４（ｂ）に示すような形状であってもよい。
【００２３】
図２、図３に戻って、入射面２０３ａと対向する箇所には、折り返し部２１１が形成されている。この折り返し部２１１は、第１反射面２１１ａと第２反射面２１１ｂとからなり、一方の導光層を伝播してきた光を他方の導光層へ案内するようになっている。図５に示すように、第１導光層（第２導光層）２０５（２０７）に入射した光は界面２０９で全反射しながら各導光層内を伝播するので、光強度の角度分布が狭くなり、水平に近い角度に強度ピーク成分を有する光となる。本実施の形態例では、折り返し部２１１は、一方の導光層を伝播してきた光の強度ピーク成分が他方の導光層の発光面から一番多く出射するように第１反射面２１１ａ、第２反射面２１１ｂを設定した。例えば、図６に示すように、第１導光層２０５を伝播し、折り返し部２１１に至る光が水平方向に対し仰角αの強度ピーク成分を有する光であり、第２導光層２０７においてその発光面２０７ａから一番多く出射する光は水平方向に対して仰角Φ（通常水平方向に対して約±２０°）である光とする。この場合、第１反射面２１１ａの角度は水平方向に対して４５°−５／４（α）°となり、第２反射面２１１ｂの角度は水平方向に対して４５°＋α／４＋Φ／２とした。
【００２４】
次に上記構成の作動を説明する。光源２０１から出射した光は導光板２０３の入射面２０３ａから、第１導光層２０５、第２導光層２０７へ入射する。入射した光は界面２０９により、第１導光層２０５、第２導光層２０７内の導光及び第１導光層２０５の第１発光面２０５ａ、第２導光層２０７の第２発光面２０７ａからの出射が制御される。そして、第１導光層２０５、第２導光層２０７を伝播する光のうち、第１導光層２０５の第１発光面２０５ａ、第２導光層２０７の第２発光面２０７ａから出射しない光は、折り返し部２１１で、他方の導光層へ案内され、他の導光層の発光面より出射する。
【００２５】
このような構成によれば、折り返し部２１１を有することで、第１発光面２０５ａ、第２発光面２０７ａ以外の箇所から導光板２０３外部へ漏れ出る光が少なくなり、効率が良くなる。
【００２６】
（第２の実施の形態例例）
第２の実施の形態例の両面発光光源の斜視図である図７、図７の矢印Ｃ方向の拡大矢視図である図８を用いて説明する。
【００２７】
導光板３０３は、第１発光面３０５ａを有する第１導光層３０５と、第１導光層３０５に積層配置され、光源２０１の光が入射し、第２発光面３０７ａを有する第２導光層３０７と、第１導光層３０５と第２導光層３０７との間に形成された界面３０９とからなっている。又、導光板３０３の一方の端面が、ライトガイドパイプ３０１ａとこのライトガイドパイプ３０１ａの両端に設けられたＬＥＤ素子３０１ｂとからなる線状の光源３０１からの光が入射する入射面３０３ａとなる。本実施の形態例の界面３０９は第１の実施の形態例の界面２０９と同じ構成である。
【００２８】
入射面３０３ａと対向する導光板３０３の箇所には、折り返し部３１１が形成されている。この折り返し部３１１は、放物面状の第１反射面３１３と、第１反射面３１３に連設された放物面状の第２反射面３１５と、導光板３０３の内部に設けられ、第１反射面３１３、第２反射面３１５のうちの一方の反射面で反射された光を他方の反射面へ反射させる第３反射面３１７とからなっている。
【００２９】
第１導光層３０５または第２導光層３０７がアクリル樹脂の場合、導光層内を伝播する光は、±４２．２°の広がり角を有する。又、第１導光層３０５、第２導光層３０７に入射した光は界面３０９で全反射しながら各導光層内を伝播するので、光強度の角度分布が狭くなり、水平に近い角度に強度ピーク成分を有する光となる。更に、第１発光面３０５ａ、第２発光面３０７ａから出射する光の輝度分布を均一化するためには、界面３０９は水平方向に近い角度（水平方向に対して±約２０°）の光を重視して設計される。
【００３０】
図８に示すように、本実施の形態例の折り返し部３１１の第３反射面３１７は放物面状の第１反射面３１３、第２反射面３１５の焦点（Ｏ）を通る反射面を有している。又、第３反射面３１７は光の広がり角を集光するような形状の反射面となっている。このため水平に近い角度に強度ピーク成分を有する光が一方の反射面である第１反射面３１３（又は、第２反射面３１５）で反射すると、反射光は±４２．２°の広がり角をもって、第３反射面３１７の焦点（Ｏ）の近傍に入射する。第３反射面３１７で反射した光は、その広がり角が集光されながら、他方の反射面である第２反射面３１５（又は、第１反射面３１３）に入射する。そして、他方の反射面である第２反射面３１５（又は、第１反射面３１３）で反射した光は、水平方向に向かい、他方の導光板の発光面から出射する。
【００３１】
このような構成によれば、折り返し部３１１には、一方の導光層を伝播してきた光の広がりを抑える第３反射面３１７を設け、更に、第１反射面３１３、第２反射面３１５、第３反射面３１７により、一方の導光層を伝播してきた光の強度ピーク成分が他方の導光層の発光面から一番多く出射するようにしたことにより、一方の導光層を伝播してきた光を効率よく他の導光層へ案内することができる。
【００３２】
（第３の実施の形態例）
図９を用いて説明する。第１の実施の形態例では、光源として直線光源を用いた例で説明を行ったが、本実施の形態例では、光源としてＬＥＤ素子を用いて例で説明を行う。
【００３３】
図に示すように、導光板４０３は、界面４０９と、界面４０９を挟んで設けられた第１導光層４０５、第２導光層４０７からなっている。導光板４０３の対向する２つの面に、それぞれ折り返し部４１１とＬＥＤ素子４０１とが交互に配置されている。
【００３４】
このような構成によれば、複数の発光ＬＥＤ素子４０１を対向する位置関係に設けたことにより、第１導光層４０５の発光面４０５ａ、第２導光層４０７の発光面４０７ａでの輝度分布が均一となる。又、導光層内で反射することによる光の偏光軸の偏りが少なくなる。
【００３５】
（第４の実施の形態例）
図１０を用いて説明する。本実施の形態例も光源としてＬＥＤ素子を用いた例である。図に示すように、導光板５０３は、図示しない界面と、界面を挟んで設けられた第１導光層５０５、第２導光層５０７からなっている。導光板５０３の４つの側面には折り返し部５１１が形成され、対向位置関係にある２つの角部に、ＬＥＤ素子５０１が配置されている。
【００３６】
このような構成によれば、複数の発光ＬＥＤ素子５０１を対向する位置関係に設けたことにより、第１導光層５０５の発光面５０５ａ、第２導光層５０７の発光面５０７ａでの輝度分布が均一となる。又、導光層内で反射することによる光の偏光軸の偏りが少なくなる。特に、本実施の形態例では、４つの側面に折り返し部５１１を設けたことにより、側面の反射による映り込みが発生しない。又、折り返し部５１１で折り返された光がＬＥＤ素子５０１方向に向かわないので、輝度ムラが小さくなる。
【００３７】
（第５の実施の形態例）
図１１を用いて説明する。本実施の形態例も光源としてＬＥＤ素子を用いた例である。図に示すように、導光板６０３は、図示しない界面と、界面を挟んで設けられた第１導光層６０５、第２導光層６０７からなっている。導光板６０３の４つの側面には折り返し部６１１が形成され、隣り合う位置関係にある２つの角部に、ＬＥＤ素子６０１が配置されている。
【００３８】
このような構成によれば、複数のＬＥＤ素子６０１を対向する位置関係、即ち、ＬＥＤ素子６０１の出射光が公差するような位置関係に設けたことにより、第１導光層６０５の発光面６０５ａ、第２導光層６０７の発光面６０７ａでの輝度分布が均一となる。又、導光層内で反射することによる光の偏光軸の偏りが少なくなる。本実施の形態例では、折り返し部６１１で折り返された光がＬＥＤ素子６０１方向に向かわないので、輝度ムラが小さくなる。更に、折り返し部６１１で折り返された光は異なる方向に進むので、偏光方向が混在し、第１発光面６０７ａ、第２発光面６０９ａ上に配置する液晶パネルの偏光方向を意識する必要がなくなり、液晶パネルの選定や液晶パネルの組付が簡単になる。
【００３９】
（第６の実施の形態例）
図１２を用いて説明する。本実施の形態例と、第１の実施の形態例との相違点は界面であるので、同一部分には同一符号を付し、重複する説明は省略する。
【００４０】
第１導光層２０５、第２導光層２０７はアクリルなどのプラスチック材からなり、接合により一体化されている。また界面は外部に開口を有するスリット（空気層）７０９とした。更に、このスリット７０９には、両面に高反射金属コートされたフィルム７２１を配して、背面のすけを防止するようにした。更に、フィルム７２１には、白色の金属酸化物（例えば、アルミナホワイト、酸化亜鉛、二酸化チタン等）を選択的に配置したパターンを形成するようにした。
【００４１】
このような構成によれば、フィルム７２１はスリット７０９を介して容易に交換できるので、フィルム７２１のパターン変更することにより最適な界面を容易に得ることができる。
【００４２】
尚、界面としては、２つのプラスチックを接着材あるいは溶着にて貼り合わせてできる接合界面であってもよい。又、蒸着によって形成される金属膜を界面としてもよい。
【００４３】
（第７の実施の形態例）
第７の実施の形態例の両面発光光源の斜視図である図１３及び図１３のＤ方向矢視図である図１４を用いて説明する
図１３に示すように、導光板８０３の４つの側面のうちの３面には、光案内手段８１１が設けられている。残りの一面には、光源８０１が配置されている。
【００４４】
図１４（ａ）、図１４（ｂ）に示すように、導光板８０３は、第１発光面８０５ａを有する第１導光層８０５と、第１導光層８０５に積層配置され、光源８０１の光が入射し、第２発光面８０７ａを有する第２導光層８０７と、第１導光層８０５と第２導光層８０７との間に形成された界面８０９とからなっている。尚、界面８０９は第２の実施の形態例の界面３０９と同一構造である。
【００４５】
光源８１０は、図示しない光源切替手段により、図において上下方向に駆動され、導光板８０３の第１導光層８０５、第２導光層８０７の２つの導光層内へ光を出射する状態、第１導光層８０５のみに光を出射する状態、第２導光層８０７のみに光を出射する状態の３つの状態をとることができるようになっている。
【００４６】
光案内手段８１１は導光板８０３の側面に平行な軸を中心に回転可能で、第１導光層８０５と対向する第１反射板８１３と、導光板８０３の側面に平行な軸を中心に回転可能で、第２導光層８０７と対向する第２反射板８１５と、第１反射板８１３、第２反射板８１５を独立して回転駆動する図示しない駆動手段とからなっている。
【００４７】
次に、上記構成の作動を説明する。両面（第１発光面８０５ａ、第２発光面８０７ａ）発光させる場合は、図１４（ａ）に示すように、光源８０１は第１導光層８０５内及び第２導光層８０７内へ光を照射する状態にある。一方、光案内手段８１１は、第１反射板８１３と第２反射板８１５とで、一方の導光層を伝播してきた光を他方の導光層に案内する状態にある。従って、光源８０１を出射した光は第１導光層８０５、第２導光層８０７に入射し、界面８０９により、第１導光層８０５、第２導光層８０７内の導光及び第１発光面８０５ａ、第２発光面８０７ａからの出射を制御される。そして、第１導光層８０５、第２導光層８０７を伝播する光のうち、第１発光面８０５ａ、第２発光面８０７ａから出射しない光は、光案内手段８１１で、再び他方の導光層へ案内され、界面８０９により、他方の導光層内の導光及び発光面からの出射を制御される。このため、導光板８０３の第１発光面８０５ａ、第２発光面８０７ａ以外の箇所から導光板８０３外部へ漏れ出る光が少なくなり、効率がよくなる。
【００４８】
一方、片面（例えば、第１発光面８０５ａのみ）発光させる場合は、図１４（ｂ）に示すように、光源８０１は図１４（ａ）の状態から上昇して、第１導光層８０５内のみへ光を照射する状態となる。一方、光案内手段８１１は、光源８０１の動きに同期して第１反射板８１３が回転し、第１導光層８０５の端面にかぶさる状態となる。このため、第１導光層８０５に入射した光は、界面８０９により、第１導光層８０５内の導光及び第１発光面８０５ａからの出射を制御される。そして、第１導光層８０５を伝播する光のうち、第１発光面８０５ａから出射しない光は、光案内手段８１１の第１反射板８１３で、再び第１導光層８０５内へ案内され、界面８０９により、第１導光層８０５内の導光及び第１発光面８０５ａからの出射を制御される。この場合、第１導光層８０５の第１発光面８０５ａ以外の箇所から導光板８０３外部へ漏れ出る光が少なくなり、効率がよくなる。
【００４９】
尚、第２発光面８０７ａのみを発光させる場合は、図１４（ａ）において、光源８０１を下降させ、第２導光層８０７内のみへ光を照射する状態とする。光案内手段８１１はその第２反射板８１５が第２導光層８０７の端面をかぶさる位置まで回転する。
【００５０】
（付記１）  光源と、導光板とからなり、前記光源からの光が前記導光板の対向する２つの発光面から出射する両面発光光源において、
前記導光板は、
前記光源からの光が入射し、第１発光面を有する第１導光層と、
該第１導光層に積層配置され、前記光源からの光が入射し、第２発光面を有する第２導光層と、
前記第１導光層、前記第２導光層との間に設けられ、前記第１導光層、前記第２導光層内を伝播する光の導光、及び前記第１導光層の第１発光面、前記第２導光層の第２発光面からの光の出射を制御する界面と、
一方の導光層を伝播してきた光を他方の導光層へ案内する折り返し部と
を有することを特徴とする両面発光光源。
【００５１】
（付記２）  前記折り返し部は、
一方の導光層を伝播してきた光の強度ピーク成分が他方の導光層の発光面から一番多く出射するような反射手段を有することを特徴とする付記１記載の両面発光光源。
【００５２】
（付記３）  前記折り返し部は、
一方の導光層を伝播してきた光の広がりを抑えると共に、一方の導光層を伝播してきた光の強度ピーク成分が他方の導光層の発光面から一番多く出射するような反射手段を有することを特徴とする付記１記載の両面発光光源。
【００５３】
（付記４）  前記光源は複数あり、それらは対向するような位置関係、前記光源の出射光が交差するような位置関係のうちのいずれかであることを特徴とする付記１記載の両面発光光源。
【００５４】
（付記５）  前記界面は、空気層，前記第１導光層、前記第２導光層の接合面，金属膜，金属酸化物による散乱反射面のうちのいずれかであることを特徴とする付記１記載の両面発光光源。
【００５５】
（付記６）  光源と、導光板とからなり、前記光源からの光が前記導光板の対向する２つの発光面から出射する両面発光光源において、
前記導光板は、第１発光面を有する第１導光層、該第１導光層に積層配置され、第２発光面を有する第２導光層、前記第１導光層、前記第２導光層との間に設けられ、前記第１導光層、前記第２導光層内を伝播してきた光の導光、前記第１導光の第１発光面、前記第２導光層の第２発光面からの光の出射を制御する界面とを有すると共に、
前記光源からの光を前記第１導光層、第２導光層のうちの一方の導光層のみ、両方の導光層へ選択的に入射させる光源切替手段と、
該光源切替手段に同期して、一方の導光層のみ光が入射した場合は、一方の導光層を伝播してきた光を一方の導光層へ、両方の導光層に光が入射した場合は、一方の導光層を伝播してきた光を他方の導光層へ案内する光案内手段と、
を備えたことを特徴とする両面発光光源。
【００５６】
【発明の効果】
以上述べたように請求項１に係る発明によれば、折り返し部を有することで、第１発光面、第２発光面以外の箇所から導光板外部へ漏れ出る光が少なくなり、効率が良くなる。
【００５７】
請求項２に係る発明によれば、導光板に入射した光は全反射しながら各導光層内を伝播するので、強度ピーク成分を有する光となる。本発明では、前記折り返し部は、一方の導光層を伝播してきた光の強度ピーク成分が他方の導光層の発光面から一番多く出射するような反射手段を有することにより、一方の導光層を伝播してきた光を効率よく他の導光層へ案内すると共に、効率よく他方の導光層から出射させることができる。
【００５８】
請求項３に係る発明によれば、一方の導光層を伝播してきた光の広がりを抑えると共に、一方の導光層を伝播してきた光の強度ピーク成分が他方の導光層の発光面から一番多く出射するような反射手段を有することにより、一方の導光層を伝播してきた光を効率よく他の導光層へ案内することができる。
【００５９】
請求項４に係る発明によれば、前記光源は複数あり、それらは対向するような位置関係、前記光源の出射光が交差するような位置関係のうちのいずれかであることにより、発光面での輝度分布が均一となる。又、光の偏光軸の偏りが少なくなる。
【００６０】
請求項５に係る発明によれば、  光源切替手段により光源からの光が、第１導光層、第２導光層に入射する場合は、光切替手段に同期して、光案内手段は、一方の導光層を伝播してきた光を他方の導光層へ案内する。第１導光層、第２導光層に入射した光は界面により、第１導光層、第２導光層内の導光及び第１導光の第１発光面、第２導光層の第２発光面からの出射を制御される。そして、第１導光層、第２導光層を伝播する光のうち、第１導光層の第１発光面、第２導光層の第２発光面から出射しない光は、光反射手段で、他方の導光層へ案内され、他の導光層の発光面より出射する。光案内手段が一方の導光層を伝播してきた光を他方の導光層へ案内することにより、第１発光面、第２発光面以外の箇所から導光板外部へ漏れ出る光が少なくなり、効率が良くなる。
【００６１】
又、光源切替手段により光源からの光が、一方の導光層にのみ入射する場合は、光切替手段に同期して、光案内手段は、一方の導光層を伝播してきた光を一方の導光層へ案内する状態となる。一方の導光層に入射した光は界面により、一方の導光層内の導光及び発光面からの出射を制御される。そして、導光層を伝播する光のうち、発光面から出射しない光は、光案内手段で、再び一方の導光層へ案内され、界面により、一方の導光層内の導光及び発光面からの出射を制御される。一方の導光層の発光面以外の箇所から導光板外部へ漏れ出る光が少なくなり、効率がよくなる。
【図面の簡単な説明】
【図１】請求項１に係る発明の原理図である。
【図２】第１の実施の形態例の両面発光光源の斜視図である。
【図３】図２の切断線Ａ−Ａでの断面図である。
【図４】図３のＢ部分の拡大図である。
【図５】図２の導光板内を伝播する光の強度分布の変化を説明する図である。
【図６】図２の折り返し部の反射面の設定方法を説明する図である。
【図７】第２の実施の形態例の両面発光光源の斜視図である。
【図８】図７の矢印Ｃ方向の拡大矢視図である。である。
【図９】第３の実施の形態例の両面発光光源の斜視図である。
【図１０】第４の実施の形態例の両面発光光源の斜視図である。
【図１１】第５の実施の形態例の両面発光光源の斜視図である。
【図１２】第６の実施の形態例の両面発光光源の斜視図である。
【図１３】第７の実施の形態例の両面発光光源の斜視図である。
【図１４】図１３のＤ方向矢視図である。
【図１５】従来の両面発光光源の第１の例を示す図である。
【図１６】従来の両面発光光源の第２の例を示す図である。
【符号の説明】
１０１光源
１０３  導光板
１０５  第１導光層
１０５ａ  第１発光面
１０７  第２導光層
１０７ａ  第２発光面
１０９  界面
１１１  折り返し部
【図１】
2004296300.tif 000003
【図２】
2004296300.tif 000004
【図３】
2004296300.tif 000005
【図４】
2004296300.tif 000006
【図５】
2004296300.tif 000007
【図６】
2004296300.tif 000008
【図７】
2004296300.tif 000009
【図８】
2004296300.tif 000010
【図９】
2004296300.tif 000011
【図１０】
2004296300.tif 000012
【図１１】
2004296300.tif 000013
【図１２】
2004296300.tif 000014
【図１３】
2004296300.tif 000015
【図１４】
2004296300.tif 000016
【図１５】
2004296300.tif 000017
【図１６】
2004296300.tif 000018